(57)【要約】【課題】メモリに記憶されているデータの内容を即座に識別可能とする技術を提供することを課題とする。【解決手段】音楽プレーヤ１２のケース１２０には開口窓１２３が設けられ、この開口窓１２３を介してカードスロット１２２内の空間が外部と連通している。ユーザは、ダウンロードした音楽データをメモリカード１１に格納し、メモリカード１１をメモリアダプタ１５にセットする。カードスロット１２２にメモリアダプタ１５を挿入すると、音楽プレーヤ１２はメモリカード１１にアクセス可能となる。また、メモリアダプタ１５のケース表面に貼付されたジャケットシール１４１が外部から観察可能な状態となる。ジャケットシール１４１には、メモリカード１１に格納された音楽アルバムのジャケットデザインが印刷されている。【選択図】図１７
2007323189.tif 000002
【特許請求の範囲】
【請求項１】
第１の規格のメモリカードに対応したカードスロットに挿入されるメモリアダプタであって、
データの入出力を行うアダプタ入出力端子と、
第２の規格のメモリカードを挿入する第１スロットと、
第３の規格のメモリカードを挿入する第２スロットと、
前記第１スロットに挿入された前記第２の規格のメモリカードの入出力端子と、前記アダプタ入出力端子とを接続する第１の接続手段と、
前記第２スロットに挿入された前記第３の規格のメモリカードの入出力端子と、前記アダプタ入出力端子とを接続する第２の接続手段と、
前記第１スロットに挿入される前記第２の規格のメモリカードまたは前記第２スロットに挿入される前記第３の規格のメモリカードに格納されているデータに関連する情報が印字されたシールを貼付するためのシール貼付領域と、
を備えることを特徴とするメモリアダプタ。
【請求項２】
請求項１に記載のメモリアダプタにおいて、
前記メモリアダプタの表面には、正面視で前記シールと略同形の凹部が形成されていることを特徴とするメモリアダプタ。
【請求項３】
請求項１または請求項２に記載のメモリアダプタにおいて、
前記メモリアダプタの全体または一部にアダプタ識別情報が表示されるとともに、前記第２または第３の規格のメモリカードの全部または一部にメモリ識別情報が表示され、前記アダプタ識別情報と前記メモリ識別情報とを一致させることで、前記メモリアダプタと前記第２または第３の規格のメモリカードとを対応させて管理することを特徴とするメモリアダプタ。
【請求項４】
請求項３に記載のメモリアダプタにおいて、
前記アダプタ識別情報および前記メモリ識別情報は色であり、色が一致するか否かにより、前記メモリアダプタと前記第２または第３の規格のメモリカードとを対応させて管理することを特徴とするメモリアダプタ。
【請求項５】
請求項３に記載のメモリアダプタにおいて、
前記アダプタ識別情報および前記メモリ識別情報は文字であり、文字が一致するか否かにより、前記メモリアダプタと前記第２または第３の規格のメモリカードとを対応させて管理することを特徴とするメモリアダプタ。
【請求項６】
請求項１ないし請求項５のいずれかに記載のメモリアダプタにおいて、
前記第１スロットに挿入される前記第２の規格のメモリカードまたは前記第２スロットに挿入される前記第３の規格のメモリカードに格納されているデータは音楽データであり、前記シールには、格納された音楽に関連する情報が印字されていることを特徴とするメモリアダプタ。
【請求項７】
請求項６に記載のメモリアダプタにおいて、
前記音楽に関連する情報は、
音楽アルバムのジャケットデザイン、
を含むことを特徴とするメモリアダプタ。
【請求項８】
請求項６または請求項７に記載のメモリアダプタが挿入されることで、前記第２または第３の規格のメモリカードに格納されている音楽データを再生する機器であって、
前記機器の外形を形成するケースと、
前記メモリアダプタを挿入するカードスロットと、
を備え、
前記カードスロット内の空間と外部空間とを遮蔽する前記ケースの一部に開口窓が設けられており、前記カードスロットに前記メモリアダプタが挿入されることで、前記メモリアダプタに貼付された前記シールが前記開口窓を介して外部から観察可能に構成されることを特徴とする音楽再生機器。
【請求項９】
所定の規格のメモリカードに対応したカードスロットに挿入されるメモリアダプタであって、
データの入出力を行うアダプタ入出力端子と、
前記所定の規格とは異なる複数の規格のメモリカードに対応した複数の別規格スロットと、
各別規格スロットに挿入されるメモリカードの入出力端子と、前記アダプタ入出力端子とを接続する接続手段と、
いずれかの別規格スロットに挿入されるメモリカードに格納されているデータに関連する情報が印字されたシールを貼付するためのシール貼付領域と、
を備えることを特徴とするメモリアダプタ。
【発明の詳細な説明】
【技術分野】
【０００１】
本発明は、規格の異なるメモリを利用する場合におけるデータの管理技術に関する。
【背景技術】
【０００２】
インターネットのサイトから音楽データをダウンロードすることが可能である。ダウンロードした音楽データは、たとえば、携帯音楽プレーヤに格納される。従来、ＣＤをＣＤプレーヤにセットして音楽を聴く、ＣＤの内容をＭＤにコピーし、ＭＤをＭＤプレーヤにセットして音楽を聴くという形態が一般的であったが、昨今では、ＣＤやＭＤといった媒体を利用せず、メモリやハードディスクに格納された音楽を聴いて楽しむという利用形態が人気である。
【０００３】
様々な携帯機器においてメモリカードが利用されている。そして、メモリカードの小型化が進んでいる。たとえば、ＳＤカードの場合、最初は標準サイズのカードがデジタルカメラやパソコンなどで利用されていた。次に、標準サイズより小さいｍｉｎｉＳＤカードが携帯電話機などで利用されてきた。そして、昨今では、さらに、ｍｉｎｉＳＤカードよりも小さいｍｉｃｒｏＳＤカードが利用されている。携帯機器の高機能化、メモリカードの小型化、大容量化が進み、携帯機器とメモリカードを組み合わせたコンテンツの利用形態が多様化している。
【０００４】
【非特許文献１】“シリコンオーディオとは”，ＰＣＶｉｅｗ，ＮＴＴ  ＰＣ  ＣＯＭＭＵＮＩＣＡＴＩＯＮＳ，[平成１８年４月１３日検索]，インターネット＜ＵＲＬ：http://www.pc-view.net/Help/manual/1203.html＞
【発明の開示】
【発明が解決しようとする課題】
【０００５】
上記のように、音楽アルバムごとにＣＤ（古くはレコード）やＭＤを所持する形態に加えて、最近では音楽データを大容量のメモリやハードディスクに一括して蓄積する形態が人気となってきている。利便性という点では、多数の媒体を所持するより、１つの内蔵メモリやハードディスクに大量の音楽データを格納しておく方が優れている。
【０００６】
しかし、物を収集するという習慣は、人間が本来もっている習慣であり、それ自体に価値があるものである。かつて、レコードを収集していた人は、様々なデザインのジャケットを見て楽しんだものである。レコードを収集していた人にとって、レコードアルバムは単なる音楽が記録された媒体ではなく、あるいは単に音楽を楽しむための媒体というだけではなく、アルバムジャケットを含めてコレクションの対象でもあった。
【０００７】
これに対して、内蔵メモリやハードディスクに音楽データを格納するという形態は、利便性の追求という点では常に受け入れられる技術であるが、物をコレクションするという習慣、趣向に対しては相反する技術である。
【０００８】
また、内蔵メモリやハードディスクに音楽データを格納するという形態は、非常に多数の音楽データを格納できるという利点がある反面、どの音楽データが格納されているかを即座に知ることができず、しばしば楽曲の管理が煩雑になる場面が生じる。そして、そもそも大容量の記憶手段を備えるシリコンオーディオについては、格納されている音楽、つまりは聴くことができる音楽が非常に多数となり、機器本体を外部から観察しただけでは、どの音楽が再生可能であるかを即座に識別可能とすることは困難である。
【０００９】
そこで、本発明は前記問題点に鑑み、メモリに記憶されているデータの内容を即座に識別可能とする技術を提供することを目的とする。
【課題を解決するための手段】
【００１０】
上記課題を解決するため、請求項１記載の発明は、第１の規格のメモリカードに対応したカードスロットに挿入されるメモリアダプタであって、データの入出力を行うアダプタ入出力端子と、第２の規格のメモリカードを挿入する第１スロットと、第３の規格のメモリカードを挿入する第２スロットと、前記第１スロットに挿入された前記第２の規格のメモリカードの入出力端子と、前記アダプタ入出力端子とを接続する第１の接続手段と、前記第２スロットに挿入された前記第３の規格のメモリカードの入出力端子と、前記アダプタ入出力端子とを接続する第２の接続手段と、前記第１スロットに挿入される前記第２の規格のメモリカードまたは前記第２スロットに挿入される前記第３の規格のメモリカードに格納されているデータに関連する情報が印字されたシールを貼付するためのシール貼付領域と、を備えることを特徴とする。
【００１１】
請求項２記載の発明は、請求項１に記載のメモリアダプタにおいて、前記メモリアダプタの表面には、正面視で前記シールと略同形の凹部が形成されていることを特徴とする。
【００１２】
請求項３記載の発明は、請求項１または請求項２に記載のメモリアダプタにおいて、前記メモリアダプタの全体または一部にアダプタ識別情報が表示されるとともに、前記第２または第３の規格のメモリカードの全部または一部にメモリ識別情報が表示され、前記アダプタ識別情報と前記メモリ識別情報とを一致させることで、前記メモリアダプタと前記第２または第３の規格のメモリカードとを対応させて管理することを特徴とする。
【００１３】
請求項４記載の発明は、請求項３に記載のメモリアダプタにおいて、前記アダプタ識別情報および前記メモリ識別情報は色であり、色が一致するか否かにより、前記メモリアダプタと前記第２または第３の規格のメモリカードとを対応させて管理することを特徴とする。
【００１４】
請求項５記載の発明は、請求項３に記載のメモリアダプタにおいて、前記アダプタ識別情報および前記メモリ識別情報は文字であり、文字が一致するか否かにより、前記メモリアダプタと前記第２または第３の規格のメモリカードとを対応させて管理することを特徴とする。
【００１５】
請求項６記載の発明は、請求項１ないし請求項５のいずれかに記載のメモリアダプタにおいて、前記第１スロットに挿入される前記第２の規格のメモリカードまたは前記第２スロットに挿入される前記第３の規格のメモリカードに格納されているデータは音楽データであり、前記シールには、格納された音楽に関連する情報が印字されていることを特徴とする。
【００１６】
請求項７記載の発明は、請求項６に記載のメモリアダプタにおいて、前記音楽に関連する情報は、音楽アルバムのジャケットデザイン、を含むことを特徴とする。
【００１７】
請求項８記載の発明は、請求項６または請求項７に記載のメモリアダプタが挿入されることで、前記第２または第３の規格のメモリカードに格納されている音楽データを再生する機器であって、前記機器の外形を形成するケースと、前記メモリアダプタを挿入するカードスロットと、を備え、前記カードスロット内の空間と外部空間とを遮蔽する前記ケースの一部に開口窓が設けられており、前記カードスロットに前記メモリアダプタが挿入されることで、前記メモリアダプタに貼付された前記シールが前記開口窓を介して外部から観察可能に構成されることを特徴とする。
【００１８】
請求項９記載の発明は、所定の規格のメモリカードに対応したカードスロットに挿入されるメモリアダプタであって、データの入出力を行うアダプタ入出力端子と、前記所定の規格とは異なる複数の規格のメモリカードに対応した複数の別規格スロットと、各別規格スロットに挿入されるメモリカードの入出力端子と、前記アダプタ入出力端子とを接続する接続手段と、いずれかの別規格スロットに挿入されるメモリカードに格納されているデータに関連する情報が印字されたシールを貼付するためのシール貼付領域と、を備えることを特徴とする。
【発明の効果】
【００１９】
本発明のメモリアダプタは、第１スロットに第２の規格のメモリカードが挿入され、第２スロットに第３の規格のメモリカードが挿入される。そして、それらメモリカードに格納されているデータに関連する情報が印字されたシールを貼付するための領域が設けられている。したがって、このメモリアダプタを利用すれば、複数の規格のメモリカードをメモリアダプタを介して電子機器等で利用可能であり、また、メモリカードに格納されている情報の内容をアダプタの表面を見るだけで把握することが可能である。
【００２０】
また、メモリアダプタの表面には、正面視でシールと略同形の凹部が形成されている。このため、メモリアダプタをカードスロットに対してスムーズに出し入れすることができる。
【００２１】
また、アダプタ識別情報とメモリ識別情報とを一致させることで、メモリアダプタとメモリカードとを対応させて管理するので、メモリカードをアダプタから外して利用する場合でも、管理が煩雑となることはない。
【００２２】
そして、アダプタ識別情報およびメモリ識別情報は色であり、色が一致するか否かにより、メモリアダプタとメモリカードとを対応させて管理する。色で区別できるので、管理が容易である。
【００２３】
また、アダプタ識別情報およびメモリ識別情報は文字であり、文字が一致するか否かにより、メモリアダプタとメモリカードとを対応させて管理する。文字により、比較的多数の組み合わせを持ってアダプタとメモリカードとを管理することが可能である。
【００２４】
また、メモリカードに格納されているデータは音楽データであり、シールには、格納された音楽に関連する情報が印字されている。したがって、このメモリアダプタに格納されている音楽の内容を即座に把握することが可能である。
【００２５】
また、シールには音楽アルバムのジャケットデザインが印字される。これにより、メモリアダプタを音楽アルバムのようにしてコレクションすることが可能である。
【００２６】
また、本発明の音楽再生機器は、カードスロットにメモリアダプタが挿入されることで、メモリアダプタに貼付されたシールが開口窓を介して外部から観察可能に構成される。これにより、音楽再生機器に挿入されているメモリカードにどのような音楽データが格納されているかを即座に把握可能である。
【発明を実施するための最良の形態】
【００２７】
｛ダウンロードサービス｝
以下、図面を参照しつつ本発明の実施の形態について説明する。図１は、実施の形態に係る音楽データダウンロードサービスのイメージ図である。この音楽データダウンロードサービスは、ＣＤ、ＤＶＤなどの音楽コンテンツを製作しているレコード会社２と、レコード会社２により製作されたＣＤ、ＤＶＤなどの音楽コンテンツを店頭販売するＣＤショップ１が提携することにより行われる。
【００２８】
このサービスを受けるユーザは、まずＣＤショップ１（図１で示した「ＡＢＣ  ＲＥＣＯＲＤＳ」）に訪れる。ＣＤショップ１では、音楽ＣＤや音楽ＤＶＤなどが店頭に陳列され、販売されている。それと合わせてＣＤショップ１では、図２に示すようなダウンロードセット用の棚１０が設置されている。この棚１０には、このダウンロードサービスに関わる商品、冊子などが陳列されている。この棚１０には、図に示すように、メモリカード１１，１６、音楽プレーヤ１２、フリーペーパー１３（「ＡＢＣ  Ｆｒｉｅｎｄｓ」）、メモリアダプタ１５が陳列されている。
【００２９】
ユーザは、このＣＤショップ１でフリーペーパー１３を入手する。フリーペーパー１３には、このＣＤショップ１のキャンペーン情報、セール情報、各種音楽情報が記載されている。また、このフリーペーパー１３には、図３に示すような広告ちらし１４が挟まれている。広告ちらし１４の内容については後で説明する。この実施の形態においては、広告ちらし１４がフリーペーパー１３に挿入されて配布されている場合を例に説明しているが、広告ちらし１４が、有料の雑誌などに挿入されて配布されている形態であってもよい。あるいは、広告ちらし１４が単体で無料で配布されている形態であってもよいし、広告ちらし１４が単体で有料で販売されている形態であってもよい。
【００３０】
ユーザは、フリーペーパー１３を入手するとともに、必要に応じてメモリカード１１やメモリカード１６、さらに、メモリアダプタ１５、音楽プレーヤ１２を購入する。メモリカード１１，１６は、音楽データダウンロードサービスによりダウンロードした音楽データを格納するための媒体である。メモリアダプタ１５は、音楽データが格納されたメモリカード１１あるいはメモリカード１６を音楽プレーヤ１２に装着するためのアダプタである。音楽プレーヤ１２は、メモリアダプタ１５が挿入可能な音楽再生機器である。ユーザは、ダウンロードした音楽データをメモリカード１１あるいはメモリカード１６に格納し、メモリカード１１あるいはメモリカード１６をメモリアダプタ１５にセットし、さらに、このメモリアダプタ１５を音楽プレーヤ１２に挿入することで、音楽を聴くことが可能である。
【００３１】
図４（ａ）は、メモリアダプタ１５の正面図であり、図４（ｂ）は、メモリアダプタ１５の背面図である。このメモリアダプタ１５は、２つのカードスロット１５ａ,１５ｂを備えている。カードスロット１５ａには、図５に示すタイプのメモリカード１１が挿入可能である。また、カードスロット１５ｂには、図６に示すタイプのメモリカード１６が挿入可能である。
【００３２】
また、図４（ａ）に示すように、メモリアダプタ１５の正面側のケース１５ｄには、凹部１５ｃが形成されている。この凹部１５ｃには、シールが貼付されることになるが、その詳細については後で説明する。また、図４（ｂ）に示すように、メモリアダプタ１５の背面側のケース１５ｅには、入出力端子１５１が配置されている。この入出力端子１５１は、メモリアダプタ１５にセットされているメモリカード１１あるいはメモリカード１６と、電子機器側の制御部との間でデータの転送を行うためのインタフェースである。
【００３３】
メモリアダプタ１５は、異なる規格のメモリを利用するためのアダプタである。メモリアダプタ１５自体は、ある規格（第１の規格とする。）のメモリカードと同じ仕様をしている。つまり、メモリアダプタ１５は第１の規格のカードスロットを備えた電子機器に挿入することが可能であり、第１の規格のカードスロット内のインタフェースを介してデータの入出力が可能である。
【００３４】
そして、メモリアダプタ１５のカードスロット１５ａに、異なる別の規格（第２の規格とする。）のメモリカード１１を挿入することで、第１の規格のカードスロットを備えた電子機器において、第２の規格のメモリカード１１を利用可能としている。
【００３５】
メモリアダプタ１５は、さらに、カードスロット１５ｂに別の異なる規格（第３の規格とする。）のメモリカード１６を挿入することで、第１の規格のカードスロットを備えた電子機器において、第３の規格のメモリカード１６を利用可能としている。
【００３６】
たとえば、メモリアダプタ１５が、標準のＳＤカードの規格に準拠しており、メモリカード１１がｍｉｃｒｏＳＤカード、メモリカード１６がｍｉｎｉＳＤカードである場合などが例として挙げられる。
【００３７】
図５（ａ）は、メモリカード１１の正面図であり、図５（ｂ）は、メモリカード１１の背面図である。図に示すように、メモリカード１１の背面側には、入出力端子１１ａが設けられている。メモリカード１１は、この入出力端子１１ａを介して制御装置との間で記録しているデータの入出力を行う。
【００３８】
図６（ａ）は、メモリカード１６の正面図であり、図６（ｂ）は、メモリカード１６の背面図である。図に示すように、メモリカード１６の背面側には、入出力端子１６ａが設けられている。メモリカード１６は、この入出力端子１６ａを介して制御装置との間で記録しているデータの入出力を行う。
【００３９】
図７は、メモリアダプタ１５にメモリカード１１をセットした状態を示す図である。このように、メモリカード１１は、背面をメモリアダプタ１５の正面側にして、カードスロット１５ａに挿入される。つまり、裏向きの状態でカードスロット１５ａに挿入されるので、メモリカード１１の背面側に設けられた入出力端子１１ａは、メモリアダプタ１５のケース１５ｄの内壁側に接する位置に配置される。
【００４０】
図８は、メモリアダプタ１５にメモリカード１６をセットした状態を示す図である。この図には、メモリカード１６の背面側に位置する入出力端子１６ａも図示している。このように、メモリカード１６は、正面をメモリアダプタ１５の正面側にして、カードスロット１５ｂに挿入される。つまり、表向きの状態でカードスロット１５ｂに挿入されるので、メモリカード１６の背面側に設けられた入出力端子１６ａは、メモリアダプタ１５のケース１５ｅの内壁側に接する位置に配置される。
【００４１】
図７および図８から分かるように、メモリカード１１とメモリカード１６の挿入位置は、メモリアダプタ１５の正面視でオーバーラップするようになっている。また、側面視においても、メモリカード１１とメモリカード１６の挿入位置はオーバーラップするようになっている。したがって、メモリカード１１とメモリカード１６が同時に２枚挿入されないような構造となっている。
【００４２】
図９（ａ）は、メモリアダプタ１５の正面側のケース１５ｄを内側から見た図である。このケース１５ｄの内側には、カードスロット１５ａに挿入されたメモリカード１１の入出力端子１１ａに位置を合わせるようにして、入出力端子１５２が設けられている。つまり、メモリカード１１をカードスロット１５ａに挿入している状態では、入出力端子１１ａと入出力端子１５２が接するようになっている。そして、この入出力端子１５２とメモリアダプタ１５のアダプタ入出力端子１５１との間は、接続線１５３で接続されている。これにより、カードスロット１５ａに挿入されたメモリカード１１が、入出力端子１１ａ、入出力端子１５２、接続線１５３、アダプタ入出力端子１５１を介してデータ入出力することを可能としている。なお、アダプタ入出力端子１５１は、ケース１５ｅ側に取り付けられているが、図９（ａ）では、説明を分かり易くするために図示している。また、図では、複数の接続線１５３が交差しているように示されているが、それらは電気的には交わらないように配線されている。
【００４３】
図９（ｂ）は、メモリアダプタ１５の背面側のケース１５ｅを内側から見た図である。このケース１５ｅの内側には、カードスロット１５ｂに挿入されたメモリカード１６の入出力端子１６ａに位置を合わせるようにして、入出力端子１５４が設けられている。つまり、メモリカード１６をカードスロット１５ｂに挿入している状態では、入出力端子１６ａと入出力端子１５４が接するようになっている。そして、この入出力端子１５４とメモリアダプタ１５のアダプタ入出力端子１５１との間は、接続線１５５で接続されている。これにより、カードスロット１５ｂに挿入されたメモリカード１６が入出力端子１６ａ、入出力端子１５４、接続線１５５、アダプタ入出力端子１５１を介してデータ入出力することを可能としている。
【００４４】
図１０は、メモリアダプタ１５の断面図である。このように、ケース１５ｄの内側に、入出力端子１５２および接続線１５３が設けられ、接続線１５３がアダプタ入出力端子１５１に接続されている。また、ケース１５ｅの内側に、入出力端子１５４および接続線１５５が設けられ、接続線１５５がアダプタ入出力端子１５１に接続されている。
【００４５】
本実施の形態においては、メモリカード１１,１６としてＯＴＰ（One Time Programmable）メモリを採用している。ＯＴＰメモリには、複数回のデータ書き込みを保障する機能を省くことで、ＭＴＰ（Multi Time Programmable）メモリに比べて安価に提供されるタイプのものが存在する。メモリカード１１，１６として、このような安価なＯＴＰメモリを利用することで、このダウンロードサービスを受けるユーザに対するコスト負担を小さくすることが可能である。
【００４６】
このように、棚１０には、ダウンロードした音楽データを格納するメモリカード１１，１６、メモリアダプタ１５、ダウンロードした音楽データを再生する音楽プレーヤ１２、各種音楽情報が記載されたフリーペーパー１３が陳列されている。ユーザは、このダウンロードサービスを初めて受ける際には、音楽プレーヤ１２とメモリカード１１とメモリアダプタ１５を購入する。あるいは、音楽プレーヤ１２とメモリカード１６とメモリアダプタ１５を購入する。メモリカード１１を選択するかメモリカード１６を選択するかはユーザの自由である。たとえば、ユーザが所持する携帯電話機がメモリカード１１に対応しているのであれば、携帯電話機での使用も想定して、メモリカード１１を選択すればよい。２回目以降は、必要に応じてメモリカード１１，１６やメモリアダプタ１５を買い足すことでダウンロードサービスを継続して受けることができる。また、ダウンロードする音楽データに関する情報はフリーペーパー１３に挿入されている広告ちらし１４から取得することが可能である。
【００４７】
図３に示す広告ちらし１４は、音楽データの宣伝広告とダウンロードのナビゲーション情報、ジャケットシール１４１が一つになった広告媒体である。この図の例では、広告ちらし１４には、４つの音楽アルバムの宣伝広告がそれぞれアルバム情報欄１４０に区分けして記載されている。各アルバム情報欄１４０には、音楽アルバムのジャケットをデザインしたジャケットシール１４１が着脱可能に貼付されている。つまり、ジャケットシール１４１は、シール台紙に貼り付けられるとともに、その外周部が周囲の紙と切断されており、容易にシール台紙から剥がすことが可能となっている。ジャケットシール１４１の横には、音楽アルバムのアルバムタイトル１４２やアルバムの紹介文１４３が印刷されている。そして、アルバムの紹介文１４３の下部には、２次元コード１４４が印刷されている。
【００４８】
２次元コード１４４には、このアルバム情報欄１４０で紹介されている音楽アルバムデータをダウンロードするためのＵＲＬがコード化されて記録されている。２次元コード１４４としては、たとえばＱＲコードが利用可能である。つまり、ダウンロードサイト２１内のダウンロードページを指定したＵＲＬがアクセス情報として記録されている。ユーザは、２次元コード読み取り機能を備えた携帯電話機を所持している場合には、携帯電話機を利用して、この２次元コード１４４を読み取ることで、音楽データのダウンロードサイト２１内のダウンロードページにアクセスするのである。そして、ユーザによりダウンロードの指示が行われることで、音楽アルバムのデータがダウンロードされるのである。
【００４９】
また、２次元コード１４４の下部には、ダウンロードのリンクリスト１４５が印刷されている。ダウンロードのリンクリスト１４５とは、ダウンロードサイト２１のトップ画面から選択された音楽アルバムデータをダウンロードするページまでのリンク関係を指定した情報である。一般に、「パンくずリスト」と呼ばれている情報である。たとえば、ダウンロードサイト２１のトップ画面からのリストとして、“トップ＞洋楽＞８０年代＞（アーチスト名）＞（アルバム名）”といったような情報が印刷されている。ユーザは、たとえば、パソコンを利用してダウンロードサイト２１にアクセスし、このリストを辿ってダウンロードページを開くのである。その後は、ダウンロードを指示する操作を行うことで、音楽データをダウンロードすることが可能である。
【００５０】
図１で示したように、ユーザは、ＣＤショップ１でメモリカード１１，１６、メモリアダプタ１５、音楽プレーヤ１２を購入し、フリーペーパー１３を入手する。そして、フリーペーパー１３に挿入されている広告ちらし１４を参照し、ダウンロードしたい音楽アルバムを選択する。そして、広告ちらし１４に印刷されているアクセス情報（２次元コード１４４あるいはリンクリスト１４５）を利用して、音楽アルバムのデータをダウンロードするのである。
【００５１】
なお、本実施の形態においては、広告ちらし１４には、音楽アルバム単位での広告が表示されており、ダウンロードするデータの単位も音楽アルバムである場合を例に説明しているが、もちろん、このサービスはアルバム単位に限るサービスではない。シングルのダウンロードサービスにも適用可能である。この場合には、ジャケットシール１４１としてシングルＣＤのジャケットデザインを採用すればよい。
【００５２】
図１１は、ユーザが所持している携帯電話機３のブロック図である。この携帯電話機３は、２次元コード読み取り機能を備える機器である。図に示すように、この携帯電話機３は、ＣＰＵを含む制御部３１と、十字カーソルや各種のボタンからなる操作部３２と、たとえば液晶表示パネルなどのモニタ３３とを備えている。また、この携帯電話機３は、２次元コード１４４を撮像するカメラ３４と、カメラ３４により撮像された２次元コードを解析する２次元コード解析部３５と、携帯電話回線網を介してインターネットとの間でデータの送受信を行う通信部３６とを備えている。携帯電話機３は、通信部３６によりレコード会社２の運営するダウンロードサイト２１にアクセスし、音楽アルバムのデータをダウンロードすることが可能である。さらに、携帯電話機３は、ダウンロードした音楽データを格納するメモリ３７とメモリスロット３８とを備えている。メモリスロット３８にはメモリカード１１あるいはメモリカード１６がセットされ、メモリ３７に格納されている音楽データが制御部３１の制御によりメモリカード１１あるいはメモリカード１６に転送される。つまり、メモリスロット３８がメモリカード１１あるいはメモリカード１６のいずれかの規格に対応している場合には、その対応したカードをメモリスロット３８にセットする。あるいは、メモリスロット３８が両方の規格に合わせた複数のスロットを備えていてもよい。
【００５３】
ユーザが、この携帯電話機３を利用して音楽データをダウンロードする場合、カメラ３４を利用して広告ちらし１４に印刷されている２次元コード１４４を撮影する。これにより、２次元コード解析部３５が２次元コード１４４を解析し、制御部３１はアクセス情報を得る。このアクセス情報に従って通信部３６が動作し、レコード会社２のダウンロードサイト２１内のダウンロードページにアクセスする。モニタ３３には、ダウンロードサイト２１内のページが表示される。ユーザは、操作部３２を操作して、ダウンロードの確認操作を行う。これにより、音楽アルバムのデータがダウンロードされ、メモリ３７に格納されるのである。
【００５４】
ユーザは、この音楽データを携帯電話機３で再生して音楽を楽しんでもよいが、さらに、メモリカード１１あるいはメモリカード１６に転送することができる。ユーザは、メモリスロット３８に、ＣＤショップ１で購入したメモリカード１１あるいはメモリカード１６を挿入する。そして、操作部３２を操作して、メモリ３７に格納されている音楽アルバムデータをメモリカード１１あるいはメモリカード１６に転送するのである。たとえば、１枚の音楽アルバムのデータが全てメモリカード１１あるいはメモリカード１６に転送される。このようにして、１枚の音楽アルバムに対応した１枚のメモリカード１１あるいはメモリカード１６が作成される。
【００５５】
図１２は、ユーザが所持しているパーソナルコンピュータ（ＰＣ）４のブロック図である。このＰＣ４は、ＣＰＵを含む制御部４１と、キーボード、マウス等からなる操作部４２と、たとえば液晶表示ディスプレイなどのモニタ４３とを備えている。また、このＰＣ４は、ＬＡＮを介してインターネットとの間でデータの送受信を行う通信部４４を備えており、通信部４４によりレコード会社２の運営するダウンロードサイト２１にアクセスし、音楽アルバムのデータをダウンロードすることが可能である。さらに、ＰＣ４は、ダウンロードした音楽データを格納するハードディスク装置４５とＵＳＢインタフェース４６とを備えている。ＵＳＢインタフェース４６にはメモリカードアダプタ４７が接続され、ハードディスク装置４５に格納されている音楽データが制御部４１の制御によりメモリカードアダプタ４７に装着されたメモリカード１１あるいはメモリカード１６に転送される。つまり、メモリカードアダプタ４７がメモリカード１１あるいはメモリカード１６のいずれかの規格に対応している場合には、その対応したカードを装着する。あるいは、メモリカードアダプタ４７が両方の規格に合わせた複数のスロットを備えていてもよい。
【００５６】
ユーザが、このＰＣ４を利用して音楽データをダウンロードする場合、まず、ＷＥＢブラウザまたは音楽ダウンロード用アプリケーションを起動し、ダウンロードサイト２１にアクセスする。次に、ユーザは、広告ちらし１４に印刷されているリンクリスト１４５を参照し、操作部４２を操作してリンクリスト１４５に記載されている文字列を順に入力する。これにより、モニタ４３に順次ＷＥＢページが表示される。そして、選択した音楽アルバムのダウンロードページが表示されたところで、ユーザは、操作部４２を操作して、ダウンロードの確認操作を行う。これにより、音楽アルバムのデータがダウンロードされ、ハードディスク装置４５に格納されるのである。なお、ダウンロードサイト２１のトップ画面のＵＲＬは、たとえば、広告ちらし１４に記載しておけばよい。
【００５７】
ユーザは、この音楽データをＰＣ４で再生して音楽を楽しんでもよいが、さらに、メモリカード１１あるいはメモリカード１６に転送することができる。ユーザは、メモリカードアダプタ４７に、ＣＤショップ１で購入したメモリカード１１あるいはメモリカード１６を挿入する。そして、操作部４２を操作して、ハードディスク装置４５に格納されている音楽アルバムデータをメモリカード１１あるいはメモリカード１６に転送するのである。たとえば、１枚の音楽アルバムのデータが全てメモリカード１１あるいはメモリカード１６に転送される。このようにして、１枚の音楽アルバムに対応した１枚のメモリカード１１あるいはメモリカード１６が作成される。なお、この実施の形態においては、ユーザがＰＣ４を利用して音楽データをダウンロードする際にＷＥＢブラウザを利用するようにしたが、音楽データのダウンロードに専用のアプリケーションプログラムを用意してもよい。そして、メモリカード１１あるいはメモリカード１６に対する書き込み処理も、この専用アプリケーションを利用して実行するようにしてもよい。
【００５８】
なお、携帯電話機３を用いる場合には、２次元コード１４４を利用してダウンロードを行う場合を例に説明したが、もちろん、携帯電話機３を利用する場合であっても、リンクリスト１４５を利用してもよい。そして、ダウンロードサイト２１が携帯電話のメニュー画面から指定可能であれば、広告ちらし１４などにダウンロードサイトのトップ画面のＵＲＬを表示させておく必要がなく、リンクリスト１４５にしたがって操作するだけで、ダウンロードサイト２１にアクセス可能である。
【００５９】
以上説明したように、ユーザは、携帯電話機３あるいはＰＣ４を操作して、音楽アルバムデータをダウンロードする。そして、ダウンロードした音楽アルバムデータをメモリカード１１あるいはメモリカード１６に格納する。
【００６０】
次に、ユーザは、広告ちらし１４からジャケットシール１４１を剥がしてメモリアダプタ１５に貼付するのである。上述したように、アルバム情報欄１４０には、音楽アルバムのジャケットシール１４１とアクセス情報（２次元コード１４４またはリンクリスト１４５）がセットで印刷されている。つまり、この広告ちらし１４で紹介されている音楽アルバムに関して、ダウンロードするためのアクセス情報と、アルバムジャケットをデザインされたシールが並べて表示されているのである。
【００６１】
したがって、ユーザは、アクセス情報に従って音楽アルバムのデータを取得した後、ダウンロードした音楽アルバムのジャケットシール１４１をメモリアダプタ１５に貼付する。そして、このメモリアダプタ１５に音楽データを格納したメモリカード１１（あるいはメモリカード１６）を挿入することで、メモリカード１１（あるいはメモリカード１６）とメモリアダプタ１５を、アルバムジャケット付きの音楽アルバムとして扱うことができるのである。単なる音楽データ（視覚的には無形なデータ）が格納されたメモリ媒体やハードディスク媒体とは異なり、あたかも、かつての音楽レコードアルバムのように、コレクションの対象となるアルバムを作成することができるのである。
【００６２】
また、図１３に示すように、ＣＤショップ１で販売されているメモリアダプタ１５には、ジャケットシール１４１を貼付するための凹部１５ｃが形成されている。つまり、メモリアダプタ１５のケース１５ｄの表面に、ジャケットシール１４１の（正面視で）外形と略同じ（厳密には、シールを貼付するためわずかに大きい）サイズの薄い凹部１５ｃが形成されているのである。この凹部１５ｃは、ジャケットシール１４１の厚みと略同じ深さを持っていればよい。これにより、メモリアダプタ１５にジャケットシール１４１を貼付したとしても、メモリアダプタ１５の厚みが厚くなることはない。凹部１５ｃの形成されていないメモリアダプタ１５のケース表面にそのままシールを貼付すると、アダプタの厚みが厚くなり、メモリカードスロット内の部品に引っかかるという心配があるが、本実施の形態のメモリアダプタ１５であれば、ジャケットシール１４１を貼付した場合であっても、スムーズにカードスロットから抜き差しすることが可能である。
【００６３】
このようにして、ユーザは、ジャケットシール１４１が貼付されたメモリアダプタ１５を作成することができる。ユーザは、ＣＤショップ１で購入した音楽プレーヤ１２に、このメモリカード１１あるいはメモリカード１６がセットされたメモリアダプタ１５を挿入して、音楽アルバムを聴くのである。
【００６４】
｛音楽プレーヤ｝
本実施の形態に係る音楽プレーヤ１２は、メモリカード１１あるいはメモリカード１６が挿入されたメモリアダプタ１５を挿入して音楽を再生する機器である。ここで、メモリアダプタ１５を挿入して音楽を再生する機器と説明したが、本質的には、上述した第１の規格のメモリカードを挿入して音楽を再生する機器である。したがって、もちろん第１の規格のメモリカードに音楽データを格納し、第１の規格のメモリカードを挿入することで、音楽を再生することが可能である。
【００６５】
音楽プレーヤ１２は、音楽データを格納するための内蔵メモリや内蔵ハードディスクを備えておらず、メモリアダプタ１５を挿入することによって音楽を再生可能としている。したがって、音楽プレーヤ１２は、非常にコンパクトで薄型の機器であり、また、安価でユーザに提供可能な機器である。上述したように、安価なＯＴＰメモリを使用していることとあわせて、音楽プレーヤ１２についても安価に提供可能とし、ユーザに掛かるダウンロード費用以外のコストをなるべく低く抑えるサービス形態となっている。ただし、この構成は一例であり、もちろん音楽プレーヤ１２が内蔵記憶装置を備える構成であってもよい。
【００６６】
図１４は、本実施の形態に係る音楽プレーヤ１２の外観図である。図１４（Ａ）は、音楽プレーヤ１２の正面図、図１４（Ｂ）は側面図、図１４（Ｃ）は背面図である。このように、音楽プレーヤ１２は、薄型の携帯音楽再生装置であり、ヘッドホン１９を接続して音楽を聴くことが可能である。音楽プレーヤ１２は、装置の外形を形成するケース１２０内に、音楽データを再生するための各種の電子部品を内装している。また、装置の正面には、図１４（Ａ）に示すように操作部１２１を配置している。操作部１２１は、音楽の再生、早送り、巻戻し、一時停止などを指示するボタンで構成されている。
【００６７】
また、音楽プレーヤ１２の装置上部には、メモリアダプタ１５を挿入するためのカードスロット１２２が設けられている。図１５は、音楽プレーヤ１２の平面図である。音楽プレーヤ１２のケース１２０には、図１５に示すように、装置上部にカードスロット１２２が設けられ、メモリアダプタ１５を挿入可能となっている。なお、図１５は、カードスロット１２２からメモリアダプタ１５を取り去った状態の図である。先に、メモリアダプタ１５については、ジャケットシール１４１が貼付されるケース表面をメモリアダプタ１５の正面側として説明した。したがって、メモリアダプタ１５がカードスロット１２２に挿入された状態では、メモリアダプタ１５の正面側が音楽プレーヤ１２の正面側に対向することとなる。
【００６８】
さらに、図１４（Ａ）および図１６に示すように、ケース１２０には装置正面側に略長方形状の開口窓１２３が設けられている。図１６は、音楽プレーヤ１２の側面断面図である。図１６は、カードスロット１２２にメモリアダプタ１５を挿入した状態の図である。このように、ケース１２０に開口窓１２３が設けられているので、図１４（Ａ）に示すように、カードスロット１２２にメモリアダプタ１５を挿入した場合、メモリアダプタ１５のケース表面に貼付したジャケットシール１４１が装置の外部から観察可能となっている。開口窓１２３の大きさは特に限定されるものではないが、好ましくはジャケットシール１４１の面積の８０％程度が外部から観察可能な程度に形成されていることが好ましい。さらに好ましくは、ジャケットシール１４１の全体が外部から観察可能に開口窓１２３が形成されていることが好ましい。
【００６９】
図１７（Ａ）は、メモリアダプタ１５を挿入する前の状態の音楽プレーヤ１２である。このように、ケース１２０の正面には、略長方形状の開口窓１２３が設けられ、カードスロット１２２の内部が見えている。そして、図１７（Ｂ）に示すように、装置の上部からメモリアダプタ１５を挿入する。これにより、図１７（Ｃ）に示すように、メモリアダプタ１５がカードスロット１２２内にセットされ、ケース表面のジャケットシール１４１が、開口窓１２３を通して外部から観察可能となっているのである。
【００７０】
音楽プレーヤ１２をこのように構成したことにより、ユーザは、現在音楽プレーヤ１２に挿入されているメモリアダプタ１５がどの音楽アルバムに対応したものかを即座に判断することが可能である。従来の音楽プレーヤであれば、まず、電源を入れて、液晶ディスプレイに表示された情報を参照して、メモリカード内にどの音楽データが格納されているかを確認していたが、本実施の形態の音楽プレーヤ１２であれば、電源を入れることなく、格納されている音楽の内容を知ることができる。
【００７１】
そして、開口窓１２３から観察できるシールジャケット１４１は、本実施の形態では音楽アルバムのデザインが印刷されているので、デザイン性にも優れている。このシールジャケット１４１のデザインが音楽プレーヤ１２の外観にも作用することで、音楽プレーヤ１２自体のデザインも美しくすることができる。また、ユーザは、従来のＣＤ、ＭＤ、カセットテープを利用していた場合のように、メディアごとに楽曲の管理を行うことが可能である。
【００７２】
図１８は、音楽プレーヤ１２のブロック図である。音楽プレーヤ１２は、図に示すように、制御部１２０１、ヘッドホン端子１２０２、ＵＳＢインタフェース１２０３、操作部１２１、カードスロット１２２を備えている。制御部１２０１は、音楽データを再生するための制御部であり、ＣＰＵやデコード回路、ワークメモリなどから構成されている。ヘッドホン端子１２０２には、図１４で示したようにヘッドホン１９が接続される。制御部１２０１は、カードスロット１２２に挿入されたメモリカード１１から音楽データを読み出し、音楽データをデコード、再生してヘッドホン端子１２０２より出力するのである。
【００７３】
ここで、メモリカード１１あるいはメモリカード１６には、一般のユーザによってデータ書き換えが不可能な記憶領域を備えており、その記憶領域にＣＤショップ１の識別情報が格納されている。つまり、この実施例であれば、メモリカード１１あるいはメモリカード１６が、「ＡＢＣ  ＲＥＣＯＲＤＳ」によって提供されているカード（「ＡＢＣ  Ｃａｒｄ」）であることを示す識別情報が格納されている。この実施の形態では、ＣＤショップ１（「ＡＢＣ  ＲＥＣＯＲＤＳ」）とレコード会社２が提携してサービスを提供しているので、各種商品の供給元、サービスの提供元としては、ＣＤショップ１とレコード会社２とは同一視できる。したがって、この識別情報は、音楽データの供給元を識別する情報でもある。つまり、ダウンロードサイト２１を利用して音楽データを配信しているコンテンツプロバイダとしてのレコード会社２を識別する情報でもある。
【００７４】
上記の実施の形態において、ＰＣ４で音楽アルバムデータをダウンロードし、メモリカード１１あるいはメモリカード１６に格納可能であると説明したが、このとき、ＰＣ４においてはＣＤショップ１が提供している専用アプリケーションを利用し、メモリカード１１あるいはメモリカード１６を認識するようにすることが可能である。
【００７５】
この方法を実行する場合、ユーザは、ＰＣ４のＵＳＢインタフェース４６と音楽プレーヤ１２のＵＳＢインタフェース１２０３とをＵＳＢケーブルで接続する。そして、ユーザは、ＰＣ４において、ＣＤショップ１により提供されている専用アプリケーションを起動するのである。この専用アプリケーションは、ダウンロードサイト２１からダウンロードした音楽アルバムデータをＰＣ４上で再生したり、メモリカード１１あるいはメモリカード１６に転送したりするためのアプリケーションプログラムである。
【００７６】
そして、この専用アプリケーションは、ＵＳＢ経由で音楽プレーヤ１２と通信を行い、メモリカード１１あるいはメモリカード１６に記録されている識別情報を取得するのである。なお、音楽プレーヤ１２の制御部１２０１は、カードスロット１２２に挿入されているメモリカード１１あるいはメモリカード１６にアクセスして識別情報を読取ることが可能となっている。そして、専用アプリケーションは、このメモリカード１１あるいはメモリカード１６がＣＤショップ１により提供されたカードであることを認識すると、メモリカード１１あるいはメモリカード１６に対する音楽アルバムデータの転送を許可するのである。
【００７７】
もしくは、メモリカード１１あるいはメモリカード１６がＣＤショップ１により提供されたカードであることを認識すると、専用アプリケーションは、特典コンテンツのダウンロードを許可するのである。そして、ダウンロードした特典コンテンツをメモリカード１１あるいはメモリカード１６に転送することを許可するのである。具体的には、専用アプリケーションによって表示されるダウンロード画面に、「特典コンテンツメニュー」が表示されるようになる。あるいは、初めから特典コンテンツメニューは表示されているが、条件に合うメモリカード１１あるいはメモリカード１６が挿入されていない場合には、特典コンテンツメニューのボタンが無効化されており、条件に合うカードが認識されたところで、当該ボタンが有効化されるのである。
【００７８】
このような仕組みとすることで、安価に提供するメモリカード１１あるいはメモリカード１６に格納できるデータに制限を加え、ダウンロードの促進効果を得ることができる。なお、ここでは、音楽プレーヤ１２がメモリカード１１あるいはメモリカード１６に記録されている識別情報を認識し、ＰＣ４で動作する専用アプリケーションが音楽プレーヤ１２と通信することで識別情報を取得するようにした。これ以外に、携帯電話機やＰＣのメモリスロットにメモリカード１１あるいはメモリカード１６が挿入されている場合、または、ＵＳＢケーブルなどを経由してメモリカード１１あるいはメモリカード１６を認識している場合、携帯電話機やＰＣがメモリカード１１あるいはメモリカード１６に記録されている識別情報を認識するようにしてもよい。この場合、携帯電話機やＰＣには、ＲＥＡＤ／ＷＲＩＴＥ用の通常のドライバに加えて、ＣＰ（コンテンツプロバイダ）識別情報認識機能を備えたドライバを実装させるようにすればよい。このような構成とすることで、上記の場合と同様、携帯電話機やＰＣは、条件に合うカードを認識すると、ダウンロードした音楽データをメモリカードに転送したり、特典コンテンツをダウンロードしてメモリカードに転送したりすることができる。
【００７９】
｛メモリアダプタとメモリカードとの対応付け｝
以上説明したように、メモリカード１１あるいはメモリカード１６に音楽データが格納され、メモリアダプタ１５にジャケットシール１４１が貼付されると、ユーザは、このメモリアダプタ１５にメモリカード１１あるいはメモリカード１６を挿入した状態で、音楽アルバムとしてコレクションすることができる。かつて、音楽レコードをコレクションしたように、メモリアダプタ１５とメモリカード１１（あるいはメモリカード１６）をセットとしてコレクションして楽しむことができるのである。
【００８０】
ただし、メモリカード１１あるいはメモリカード１６は、メモリアダプタ１５から取り外して利用可能である。たとえば、メモリカード１１を携帯電話機に挿入して携帯電話機で音楽を聴くことも可能である。このような利用をした場合、メモリアダプタ１５には、ジャケットシール１４１が貼付されているが、メモリカード１１にはジャケットシール１４１が貼付されていないため、両者の対応付けが分からなくなるおそれがある。
【００８１】
そこで、本実施の形態においては、図１９に示すように、メモリアダプタ１５の識別情報表示部１５ｆと、メモリカード１１の識別情報表示部１１ｂに両者を対応付けるための色を印字するようにしている。同様に、メモリカード１６についても、識別情報表示部１６ｂに色を印字するようにしている。
【００８２】
つまり、ＣＤショップ１では、識別情報表示部１５ｆの色が異なる複数パターンのメモリアダプタ１５が販売されており、また、識別情報表示部１１ｂの色が異なる複数パターンのメモリカード１１が販売されているのである。同様に、識別情報表示部１６ｂの色が異なる複数パターンのメモリカード１６が販売されているのである。たとえば、ＣＤショップ１において、１０色のパターンのメモリアダプタ１５が販売され、それと同じ１０色のパターンのメモリカード１１が販売される。
【００８３】
そして、ユーザは、識別情報表示部１５ｆと識別情報表示部１１ｂの色が同じメモリアダプタ１５とメモリカード１１を購入し、これらをセットとして保管すればよいのである。このようにすることで、色の数には制限があるため、全てのコレクションを一意に区別することは難しいが、複数種類の色を利用してメモリアダプタ１５とメモリカード１１をセットで管理することで、管理の煩雑さを軽減させることが可能である。
【００８４】
図１９では、メモリカード１１およびメモリカード１６について、カードの端部に識別情報表示部１１ｂ、１６ｂを配置するようにしている。つまり、メモリカード１１やメモリカード１６をメモリアダプタ１５に挿入したとき、外部に露出する部分を識別情報表示部１１ｂ，１６ｂとしている。これにより、メモリカード１１やメモリカード１６がメモリアダプタ１５に挿入された場合でも、メモリカード側の色が識別できるようにしている。もちろん、メモリアダプタ１５やメモリカード１１,１６の全体を色で識別するようにしてもよい。
【００８５】
このように、メモリアダプタ１５とメモリカード１１，１６に識別情報として色を利用する場合を例に説明したが、色以外に文字を利用してもよい。たとえば、１から１００番までの番号を識別情報として利用すれば、１００パターンでメモリアダプタ１５とメモリカード１１をセットで管理することが可能である。メモリカード１６についても同様である。また、上記の例では、メモリアダプタ１５のケース自体に色を印字させたり、あるいは文字を印字させたりする場合を説明したが、ジャケットシール１４１に識別情報表示部を設けるようにしてもよい。つまり、ジャケットシール１４１に、メモリカード１１，１６との対応付けを行うための色あるいは文字を印字するようにしてもよい。この場合であれば、メモリアダプタ１５としては１種類を用意すればよく、ジャケットシール１４１に色別のパターンを用意すればよい。
【００８６】
以上、本発明のメモリアダプタ１５、音楽プレーヤ１２等について説明したが、本発明は、音楽再生用途に限定されるものではなく、その他一般の電子機器にも適用可能である。たとえば、静止画を表示する画像表示機器や動画を再生する動画再生機器に適用させてもよい。この場合であっても、メモリカードに格納されている画像や動画の内容に関わる情報をメモリアダプタ１５の表面に表示しておけば、電子機器に設けられた開口窓を通してメモリカードに格納された画像や動画の内容を即座に識別可能である。その他、本発明をＩＣレコーダに適用させてもよい。ＩＣレコーダに挿入するメモリアダプタに、記録されている音声に関わる情報を表示させると利便性がよい。
【図面の簡単な説明】
【００８７】
【図１】本実施の形態に係る音楽データダウンロードサービスのイメージ図である。
【図２】ＣＤショップに設置される棚の概観図である。
【図３】広告ちらしのイメージ図である。
【図４】メモリアダプタの正面図および背面図である。
【図５】第２の規格のメモリカードの正面図および背面図である。
【図６】第３の規格のメモリカードの正面図および背面図である。
【図７】第２の規格のメモリカードがメモリアダプタに挿入された状態を示す図である。
【図８】第３の規格のメモリカードがメモリアダプタに挿入された状態を示す図である。
【図９】メモリアダプタの入出力端子を示す図である。
【図１０】メモリアダプタの入出力端子を示す側面断面図である。
【図１１】携帯電話機のブロック図である。
【図１２】パーソナルコンピュータのブロック図である。
【図１３】メモリアダプタに形成されたシール貼付用の凹部を示す図である。
【図１４】音楽プレーヤの外観図である。
【図１５】音楽プレーヤのカードスロットを示す平面図である。
【図１６】音楽プレーヤのカードスロットを示す側面断面図である。
【図１７】カードスロットにメモリカードを挿入した状態と取り外した状態を比較して示す図である。
【図１８】音楽プレーヤのブロック図である。
【図１９】メモリアダプタとメモリカードに識別情報を表示させた図である。
【符号の説明】
【００８８】
１      ＣＤショップ
２      レコード会社
３      携帯電話機
４      パーソナルコンピュータ
１１    メモリカード
１２    音楽プレーヤ
１３    フリーペーパー
１４    広告ちらし
１５    メモリアダプタ
１５ａ  カードスロット
１５ｂ  カードスロット
１６    メモリカード
１２０  ケース
１２２  カードスロット
１２３  開口窓
１４０  音楽アルバム情報欄
１４１  ジャケットシール
１４４  ２次元コード
１４５  リンクリスト（パンくずリスト）
【図１】
2007323189.tif 000003
【図２】
2007323189.tif 000004
【図３】
2007323189.tif 000005
【図４】
2007323189.tif 000006
【図５】
2007323189.tif 000007
【図６】
2007323189.tif 000008
【図７】
2007323189.tif 000009
【図８】
2007323189.tif 000010
【図９】
2007323189.tif 000011
【図１０】
2007323189.tif 000012
【図１１】
2007323189.tif 000013
【図１２】
2007323189.tif 000014
【図１３】
2007323189.tif 000015
【図１４】
2007323189.tif 000016
【図１５】
2007323189.tif 000017
【図１６】
2007323189.tif 000018
【図１７】
2007323189.tif 000019
【図１８】
2007323189.tif 000020
【図１９】
2007323189.tif 000021